(57)【要約】【課題】クセノン放電管においては、メインコンデンサに充電されている電圧が、最低発光電圧まで下がると、不点灯となるので、連続撮影できる枚数が少なく、また、この場合、メインコンデンサ内の電力に対する使用効率が低いという問題点を生じている。【解決手段】本発明により、写真の連写時に、それぞれのフレームの撮影時に同期させてクセノン放電管の発光を行わせるストロボ駆動装置であり、メインコンデンサの充電電圧がクセノン放電管の放電電圧以上を維持している間は、所定のパルス幅の点灯パルスをそれぞれのフレームの撮影時に同期して点灯を行わせ、メインコンデンサの充電電圧がクセノン放電管の放電電圧以下となった際には、点灯パルスの間にパルス幅が狭く、パルス間隔も短くしたイオン化維持パルスを印加するストロボ駆動装置とすることで、放電電圧以下でも点灯を可能として課題を解決する。【選択図】図２
2009053320.tif 000002
【特許請求の範囲】
【請求項１】
写真の連写時において、それぞれのフレームの撮影時に同期させてクセノン放電管の発光を行わせるストロボ駆動装置において、メインコンデンサの充電電圧が、前記クセノン放電管の放電電圧以上を維持している間は、所定のパルス幅の点灯パルスを前記それぞれのフレームの撮影時に同期して印加し点灯を行わせ、前記メインコンデンサの充電電圧が前記クセノン放電管の放電電圧以下となった際には、それぞれのフレームに同期して印加される前記点灯パルスの間にパルス幅が狭く、且つ、パルス間隔も短くしたイオン化維持パルスを印加することを特徴とするストロボ駆動装置。
【請求項２】
前記ストロボ駆動装置は、前記点灯パルスのパルス幅の設定が可変とされ、且つ、前記メインコンデンサの充電電圧が前記クセノン放電管の放電電圧以下となった際には、それぞれのフレームに同期して印加される前記点灯パルスの間にパルス幅が狭く、且つ、パルス間隔も短くしたイオン化維持パルスを印加することを特徴とする請求項１記載のストロボ駆動装置。
【請求項３】
前記イオン化維持パルスは、パルス幅が略１０μsであり、パルス間隔が略９０μsであることを特徴とする請求項１または請求項２記載のストロボ駆動装置。
【発明の詳細な説明】
【技術分野】
【０００１】
本発明は、フイルムカメラ、デジタルカメラなどに装着されるストロボ駆動装置に関するものであり、詳細には、高速連射機構などと称されて、例えば、シャッター釦を押し続けることで、１秒間に１００枚程度の速度で連続して写真が撮影される機構が装備されているものがあり、例えば、動作の解析などに使用されている。この場合、夜間などにおいては、カメラに内蔵されたストロボ駆動装置において、各シャッターの作動毎に発光する構成とされているものがある。
【背景技術】
【０００２】
従来の連射撮影を行う際に、ストロボ駆動装置９０を同期させる機構としては、図４に示すようなものがあり、ＭＰＵ８０には、シャッター釦７０ａが押されたことを検出するレリーズ信号発生装置７０、連射間隔を設定する連射間隔設定回路７１と共にストロボ撮影を行うか否かを設定するストロボ撮影切換回路７２などからの信号が入力されている。
【０００３】
また、前記ＭＰＵ８０には、ステッピングモータ６０を駆動するドライバＩＣ６１に信号を出力し、前記ステッピングモータ６０は開口６２ａを有する円板シャッタ６２を回転させる。また、前記ドライバＩＣ６１には、前記ステッピングモータ６０、即ち、前記円板シャッタ６２を何回転させたか計測するカウンタ６３が接続されている。
【０００４】
更に、前記ＭＰＵ８０には、トリガ信号発生回路６４が接続されており、フィルム、あるいは、ＣＣＤに露光が行われた時点には、前記ＭＰＵ８０側から信号が発せられ、例えば、ＩＧＢＴ(Insulated Gate Bipolar Transistor)などを含むストロボ制御回路６５を介してストロボ駆動装置６６が接続されている。
【０００５】
このように構成することで、前記円板シャッタ６２の開口６２ａがフイルム（図示せず）の所定位置に達したときには、前記ＭＰＵ８０からトリガ信号が出力されるものとなり、ストロボ駆動装置６６が発光して、ストロボ撮影が連続して行われるものとなり、夜間においても連続撮影が行えるものとなる。
【特許文献１】特開平０５−０７２６０５号公報
【発明の開示】
【発明が解決しようとする課題】
【０００６】
しかしながら、上記のように連続撮影を行う場合、前記ストロボ駆動装置９０が、カメラ内蔵のものである場合には、メインコンデンサの容量、光源の容量などに大きな容量のものを搭載することにはカメラの携帯性を損なうなどで限界を生じるものとなり、この結果、図５に示すように、一発光毎にメインコンデンサに充電されている充電電圧Ｖ１は低下するものとなり、クセノン放電管の最低発光電圧Ｖminよりも低下した時点で、連続発光は停止する。
【０００７】
よって、連続発光が行えるとしても、小型カメラでは撮影枚数が少なく、カメラ使用者に不満を感じさせるなどの問題点を生じるものとなっており、また、前記クセノン放電管の最低発光電圧Ｖminは２２０Ｖ程度であるので、前記メインコンデンサに充電されているエネルギーの約半分しか使えておらず、メインコンデンサ、電源用電池などに対する効率が低いという問題点も生じている。尚、図５は、図１に示したものとほぼ同一のストロボ回路を使用し、点灯パルスＴ１に本発明の要旨であるイオン化維持パルスＰiを加えない状態で連射を行った状態で示してある。
【課題を解決するための手段】
【０００８】
本発明は上記した従来の課題を解決するための具体的手段として、写真の連写時において、それぞれのフレームの撮影時に同期させてクセノン放電管の発光を行わせるストロボ駆動装置において、メインコンデンサの充電電圧が、前記クセノン放電管の放電電圧以上を維持している間は、所定のパルス幅の点灯パルスを前記それぞれのフレームの撮影時に同期して印加し点灯を行わせ、前記メインコンデンサの充電電圧が前記クセノン放電管の放電電圧以下となった際には、それぞれのフレームに同期して印加される前記点灯パルスの間にパルス幅が狭く、且つ、パルス間隔も短くしたイオン化維持パルスを印加することを特徴とするストロボ駆動装置を提供することで、連続発光回数の増加を可能として課題を解決するものである。
【発明の効果】
【０００９】
本発明により、メインコンデンサの充電電圧がクセノン放電管の放電電圧以下となったときには、点灯パルスの間にイオン化維持パルスを印加するストロボ駆動装置とすることで、連続発光回数を増加させると共に、電源の利用率効率にも優れた効果を奏するものである。
【発明を実施するための最良の形態】
【００１０】
つぎに本発明を図に示す実施形態に基づいて詳細に説明する。図１に符号１で示すものは、本発明に係るストロボ駆動装置であり、このストロボ駆動装置１はメインコンデンサ２と、このメインコンデンサ２の正極側に接続されたクセノン放電管３と、前記メインコンデンサ２の陰極側に接続され、前記クセノン放電管３とは直列に接続されたＩＧＢＴ４と、例えばシャッタに設けられた接点（図示せず）に接続されて、フィルムが露光状態にあるときにクセノン放電管３の起動を行うトリガコイル５とから基本的に構成されている点は従来例もののと同様である。
【００１１】
加えて、本発明においては、イオン化維持回路６が設けられ、このイオン化維持回路６は、電圧測定回路部６ａとパルス発生回路部６ｂとで構成されていて、前記電圧測定回路部６ａはメインコンデンサ２の充電電圧Ｖ１を、カメラが動作している時点、即ち、連射が行われている時点においては常時に計測している。
【００１２】
そして、このコンデンサ２の充電電圧Ｖ１が、前記クセノン放電管３の最低発光電圧Ｖminを下回ったときには、前記イオン化維持回路６は、前記パルス発生回路６ｂによりイオン化維持パルスＰiを発生し、このイオン化維持パルスＰiを前記ＩＧＢＴ４を介して前記クセノン放電管３に印加するものとされている。
【００１３】
ここで、前記イオン化維持パルスＰiについて説明を行うと、発明者の実験結果では、前記クセノン放電管３内では、前記ＩＧＢＴ４の導通を遮断した後でも、即ち、前記クセノン放電管３の放電を停止させた後にも略数１０〜数１００μsの間は、このクセノン放電管３には導通状態が保たれていることを見いだした。そして、クセノン放電管３が導通状態であれば、このクセノン放電管３の両端に電圧を印加することで発光を行うことができることも確認した。
【００１４】
つまり、ＩＧＢＴ４が遮断した後でも、クセノン放電管３が導通状態である期間内の時間であれば、例え最低発光電圧Ｖmin以下の電圧であっても、点灯パルスＴ１を印加することで発光させることが、可能であることを見いだしたのである。
【００１５】
よって、以上に説明した状況を利用することにより、ＩＧＢＴ４に図２に示すようなイオン化維持パルスＰiをクセノン放電管３の導通状態が継続するように、適宜な間隔で印加しておけば、最低発光電圧Ｖmin以下の電圧においても点灯パルスＴ１を印加することによりクセノン放電管３を点灯させることができるものとなる、即ち、連続発光回数を増やすことが可能となるのである。
【００１６】
ここで、前記イオン化維持パルスＰiについて考察してみると、このイオン化維持パルスＰiもメインコンデンサ２に充電されている電荷を使用して発生させているので、当然に、前記メインコンデンサ２に充電されている電荷を消費するものとなる。よって、前記イオン化維持パルスＰiは、前記クセノン放電管３の導通状態が維持できる範囲において、パルス幅Ｗはできる限りに狭くすると共に、パルス間隔Ｄはできる限りに広く設定することが好ましい。
【００１７】
図３に前記イオン化維持パルスＰiの形状の一例を示すと、パルス幅Ｗは１０μsであり、パルス間隔Ｄは９０μsである。このイオン化維持パルスＰiをＩＧＢＴ４に印加することで、最低発光電圧Ｖmin以下でのクセノン放電管３の発光が行われることを確認した。尚、このときの発光維持時間は４msである。
【００１８】
また、このときに使用したメインコンデンサ２及びクセノン放電管３は下記の通りである。
メインコンデンサ：３３０Ｖ／９０μＦ
クセノン放電管  ：外径１．５mm／全長２５mm/アーク長１５mm
【００１９】
尚、メインコンデンサ２の容量などの条件により発光維持時間は変化するが、最大でも数１０μs程度であろうと予想できる。よって、前記メインコンデンサ２の電圧が最低発光電圧Ｖmin以下となり、前記イオン化維持パルスＰiの規定数が発振された後に、前記メインコンデンサ２に残余する電荷が前記発光維持時間を維持するのに充分であるように設定しておけば、発光回数は増やすことが可能となる。
【００２０】
また、本発明に係るストロボ駆動装置１は、上記に説明したように発光回数を増やす必要がない場合でも有効に活用することが可能であり、例えば、必要とされる連射数が３連射である場合、点灯パルスＴ１の２連射目までを、前記メインコンデンサ２の充電電圧がクセノン放電管３の放電電圧以上で発光させる。
【００２１】
このようにすることで、２発目の発光が終了した時点では、前記メインコンデンサ２の電圧は当然に最低発光電圧Ｖmin以下となるので、上記に説明した前記イオン化維持回路６によりイオン化維持パルスＰiを発振させる。そして、所定時間が経過した時点で３発目を点灯パルスＴ１で発光させるのである。
【００２２】
このようにすることで、前記点灯パルスＴ１のパルス幅Ｗは当然に広く設定することが可能であり、即ち、各発光毎に撮影される写真は、３連射を前記メインコンデンサ２の電圧がクセノン放電管３の放電電圧以上で放電されたものより、明るく撮影されるものとなる。即ち、メインコンデンサ２に充電されている電荷に対する利用効率を向上させることを可能とする。
【図面の簡単な説明】
【００２３】
【図１】本発明に係るストロボ駆動装置の構成を示す略示的な回路図である。
【図２】点灯パルスにイオン化維持パルスを加えた状態を示す説明図である。
【図３】イオン化維持パルスの形状の１例を示すグラフである。
【図４】従来例におけるストロボ駆動層の構成の例を示す説明図である。
【図５】従来例におけるストロボ駆動装置の動作例を示すグラフである。
【符号の説明】
【００２４】
１…ストロボ駆動装置
２…メインコンデンサ
３…クセノン放電管
４…ＩＧＢＴ
５…トリガコイル
６…イオン化維持回路
６ａ…電圧測定回路
６ｂ…パルス発生回路
Ｐi…イオン化維持パルス
Ｔ１…点灯パルス
Ｖ１…充電電圧
Ｖmin…最低発光電圧
【図１】
2009053320.tif 000003
【図２】
2009053320.tif 000004
【図３】
2009053320.tif 000005
【図４】
2009053320.tif 000006
【図５】
2009053320.tif 000007